(57)【要約】【課題】皿本体の一部に設けたコップホルダーに形状、材質が異なる複数種類のコップを簡単に着脱でき、しかも安定した状態に保持でき、立食形式のパーティ等において使用するのに便利なコップホルダー付き皿を提供する。【解決手段】皿本体１１と、この皿本体１１の周縁部１２に一体に設けられ、コップ１３を保持するコップホルダー１４とからなり、コップホルダー１４は、前記皿本体１１の上面側に凹部によって前記コップ１３の底面を支持する支持部１５とコップ１３の周面と嵌合する嵌合部１９が形成されていることを特徴とするコップホルダー付き皿にある。【選択図】図１
2010207280.tif 000002
【特許請求の範囲】
【請求項１】
皿本体と、この皿本体の周縁部に一体に設けられ、コップを保持するコップホルダーとからなり、
前記コップホルダーは、前記皿本体の上面側に凹部によって前記コップの底面を支持する支持部とコップの周面と嵌合する嵌合部が形成されていることを特徴とするコップホルダー付き皿。
【請求項２】
前記皿本体は、皿相互を重ねたときに、その上面と下面が互いに嵌合することを特徴とする請求項１に記載のコップホルダー付き皿。
【請求項３】
前記皿本体は、陶磁器、金属、ガラス、プラスチック、紙、生分解性プラスチック等のいずれかの材料からなり、前記コップホルダーが一体に形成されていることを特徴とする請求項１に記載のコップホルダー付き皿。
【発明の詳細な説明】
【技術分野】
【０００１】
本発明は、立食形式のパーティ等において使用するのに好適なコップホルダー付き皿に関する。
【背景技術】
【０００２】
立食形式のパーティ等において、飲食しながら懇談する際には、参加者は飲食用のコップと料理皿を持って応対し、また飲食用のコップと料理皿を持ちながら移動しなくてはならない。この場合、参加者はコップと料理皿とをまとめて片手に持ったり、コップと料理皿とを左右の手で別々に持たざるを得ない。
【０００３】
しかし、コップと料理皿とを片手で持つ場合、不安定で飲み物や料理をこぼす恐れがあり、またコップと料理皿とを左右の手で別々に持つ場合、両手が塞がって不便を感じることが多い。
【０００４】
また、立食形式のパーティでは、参加者自身で好みの料理を料理皿に取って飲食できるようになっており、料理盛り付けテーブルにはコップや料理皿をいったん置くことができるようになっているが、混雑時には自分のコップと他人のコップを間違えることがある。
【０００５】
そこで、このような問題を解消するために、本出願人は、コップ本体に皿縁挿入部を設け、料理皿の周縁部をコップ本体の皿縁挿入部に挿入することにより、料理皿の周縁部にコップを保持できるようにした提案をしている（特許文献１参照。）。
【先行技術文献】
【特許文献】
【０００６】
【特許文献１】実用新案登録第３０３２８５８号公報
【発明の概要】
【発明が解決しようとする課題】
【０００７】
しかしながら、特許文献１は、コップ本体に皿縁挿入部を設け、料理皿の周縁部をコップ本体の皿縁挿入部に挿入できるようにしたものであり、料理皿の形状によってはその周縁部をコップ本体の皿縁挿入部に挿入できず、専用の料理皿でなくてはならない。また、料理皿の周縁部をコップ本体の弾性片で弾性的に圧接する方法であるために、飲用する際には、弾性片の弾性力に抗して料理皿からコップを取り外す必要があり、コップの中の飲み物をこぼす恐れがある。さらに、コップ本体に皿縁挿入部を設けたり、弾性片を設けることは、コップの材料が限定され、しかもコストアップの原因となっている。
【０００８】
本発明は、前記事情に着目してなされたもので、その目的とするところは、皿本体の一部に設けたコップホルダーに形状、材質が異なる複数種類のコップを簡単に着脱でき、しかも安定した状態に保持でき、立食形式のパーティ等において使用するのに便利なコップホルダー付き皿を提供することにある。
【課題を解決するための手段】
【０００９】
本発明は、前記目的を達成するために、請求項１は、皿本体と、この皿本体の周縁部に一体に設けられ、コップを保持するコップホルダーとからなり、前記コップホルダーは、前記皿本体の上面側に凹部によって前記コップの底面を支持する支持部とコップの周面と嵌合する嵌合部が形成されていることを特徴とするコップホルダー付き皿にある。
【００１０】
請求項２は、請求項１の前記皿本体は、皿相互を重ねたときに、その上面と下面が互いに嵌合することを特徴とする。
【００１１】
請求項３は、請求項１の前記皿本体は、陶磁器、金属、ガラス、プラスチック、紙、生分解性プラスチック等のいずれかの材料からなり、前記コップホルダーが一体に形成されていることを特徴とする。
【発明の効果】
【００１２】
本発明によれば、皿本体のコップを保持できるため、皿を片手で持てば、コップも一緒に持つことができ、立食形式のパーティ等において、飲食しながら懇談する場合に便利であり、また皿とコップを持って移動する際にも飲み物をこぼす恐れも少なく、そのままテーブル等に置いても他人のコップを間違えることもない。
【００１３】
さらに、コップホルダーの凹部と凸部は、皿相互を重ねたときに互いに嵌合するため、不使用時に保管する際にも場所を取らず、管理しやすいという効果がある。
【図面の簡単な説明】
【００１４】
【図１】本発明の実施例１を示し、コップホルダー付き皿の斜視図。
【図２】同実施例１のコップホルダー付き皿を示し、（ａ）は平面図、（ｂ）は縦断側面図。
【発明を実施するための形態】
【００１５】
以下、本発明の実施の形態を図面に基づいて説明する。
【実施例１】
【００１６】
図１、図２に示すコップホルダー付き皿は、立食形式のパーティ等において飲食しながら懇談する場合に使用されるもので、浅くて平たい皿本体１１は、例えば、陶磁器、アルミニウム、ステンレス等の金属、ガラス、プラスチック、紙、生分解性プラスチック等のいずれかの材料によって一体に成形されている。この皿本体１１の周縁部１２は外周縁方向に向かって漸次上り勾配の傾斜面に形成され、この周縁部１２の一部には飲用のコップ１３を保持するコップホルダー１４が一体に設けられている。
【００１７】
コップホルダー１４は、皿本体１１の上面側に凹部１４ａによってコップ１３の底面１３ａを支持する円形状の支持部１５が形成されており、この支持部１５は皿本体１１の底面１１ａより僅かに低く形成されている。支持部１５は皿本体１１の底面１１ａと同様に平坦面に形成され、皿本体１１の座部を形成するリブ１６の形状に倣って円弧状の輪郭が形成されているため、支持部１５より皿外周部側には三日月状の開口部１７が形成されている。
【００１８】
さらに、支持部１５の皿内周部側にはコップ１３の周面１３ｂと嵌合する突提状の嵌合部１９が形成され、コップホルダー１４にコップ１３を支持すると、その底面１３ａおよび周面１３ｂが支持されて安定した状態に保持できるようになっている。しかも、複数枚の皿本体１１を上下に重ねたとき、皿本体１１の上面と下面とが互いに嵌合して安定した状態に積み重ねることができるようになっている。
【００１９】
前記コップ１３は、皿本体１１と同様に、例えば、陶磁器、アルミニウム、ステンレス等の金属、ガラス、プラスチック、紙、生分解性プラスチック等のいずれかの材料によって形成されている。
【００２０】
本実施例のコップホルダー付き皿は、立食形式のパーティ等において飲食しながら懇談する場合、料理を皿本体１１に盛り付け、飲み物が入ったコップ１３をコップホルダー１４に支持することにより、皿本体１１を片手で持つだけで飲み物が入ったコップ１３を一緒に持ち運ぶことができる。立食形式のパーティでは、参加者自身で好みの料理を料理皿に取って飲食できるようになっており、料理盛り付けテーブルにはコップや料理皿をいったん置くことができるようになっているが、皿本体１１とコップ１３を片手で持ったまま好みの料理を料理皿に取ることができ、混雑時にも自分のコップと他人のコップを間違えることがない。
【００２１】
なお、皿本体１１を紙で製作した場合、飲み物が入ったコップ１３をコップホルダー１４に支持すると、その重量によって皿本体１１が変形する恐れがあるが、皿本体１１のコップホルダー１４と反対側（１８０°偏倚した部分）のリブ１６を他の部分より肉厚にすることにより解決できる。
【００２２】
また、皿本体１１を陶磁器、アルミニウム、ステンレス等の金属、ガラス、プラスチック等で製作した場合、市販の食器洗浄機によって洗浄可能である。また、生分解性プラスチック（脂肪族ポリエステル、ポリビニルアルコール、ポリアミノ酸類、その他ポリウレタン、ナイロンオリゴマーなど）で製作すると、使用後に廃棄しても自然界の微生物によって最終的に水と二酸化炭素に分解される。したがって、生ゴミから有機肥料を造る装置に投入した場合、早く分解して有機肥料となり、環境面において有益である。
【００２３】
なお、実施例１においては、浅くて平たい皿本体１１について説明したが、皿本体の形状は、円形に限定されず、角皿でもよく、深い皿においても適用できる。
【００２４】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【産業上の利用可能性】
【００２５】
本発明のコップホルダー付き皿は、立食形式のパーティに限定されず、キャンプ等のアウトドア用品としても、社員食堂、学校給食にも適用でき、また、予め皿にインスタント食品を盛り付けて販売する、料理盛り付け皿としての商品化が可能である。
【符号の説明】
【００２６】
１１…皿本体、１３…コップ、１４…コップホルダー、１５…支持部、１９…嵌合部
【図１】
2010207280.tif 000003
【図２】
2010207280.tif 000004